(57)【要約】【課題】  曲げや、ねじりの力が加えられてもリード部が断線することのないようにする。【解決手段】  カード本体と、このカード本体内に設けられ、ＬＳＩ７を実装する基板と、この基板にＬＳＩ７を被覆するように塗布された接着剤１３，１４と、この接着剤１３，１４を介して基板に接着され、ＬＳＩ７を保護する補強部材１６，１７と、ＬＳＩ７に電気的に接続され、基板に沿って接着剤１３，１４の外周エッジ部１３ａ，１４ａから外方に延出するアンテナ５とを具備し、アンテナ５は、ＬＳＩ７の外周エッジ部７ａに対応する部位１１ａの幅寸法を第１の幅寸法とし、接着剤１３，１４の外周エッジ部１３ａ，１４ａに対応する部位の幅寸法を前記第１の幅寸法よりも大きな第２の幅寸法とする。【選択図】      図３
2007011590.tif 000002
【特許請求の範囲】
【請求項１】
カード本体と、
このカード本体内に設けられ、ＬＳＩを実装する基板と、
この基板に前記ＬＳＩを被覆するように塗布された接着剤と、
この接着剤を介して前記基板に接着され、前記ＬＳＩを保護する補強部材と、
前記ＬＳＩに電気的に接続され、前記基板に沿って前記接着剤の外周エッジ部から外方に延出するアンテナとを具備し、
前記アンテナは、前記ＬＳＩの外周エッジ部に対応する部位の幅寸法を第１の幅寸法とし、前記接着剤の外周エッジ部に対応する部位の幅寸法を前記第１の幅寸法よりも大きな第２の幅寸法とすることを特徴とする無線カード。
【請求項２】
前記アンテナは、第１の幅寸法部分から第２の幅寸法部分に向かってその幅寸法を徐々に増大させることを特徴とする請求項１記載の無線カード。
【請求項３】
前記アンテナは、前記接着剤の外周エッジ部を越えた部位からその幅寸法を徐々に減少させることを特徴とする請求項１記載の無線カード。
【請求項４】
通帳類本体と、
この通帳類類本体内に設けられ、ＬＳＩを実装する基板と、
前記基板に前記ＬＳＩを被覆するように塗布された接着剤と、
この接着剤を介して前記基板に接着され、前記ＬＳＩを保護する補強部材と、
前記ＬＳＩに電気的に接続され、前記基板に沿って前記接着剤の外周エッジ部から外方に延出するアンテナとを具備し、
前記アンテナは、前記ＬＳＩの外周エッジ部に対応する部位の幅寸法を第１の幅寸法とし、前記接着剤の外周エッジ部に対応する部位の幅寸法を前記第１の幅寸法よりも大きな第２の幅寸法とすることを特徴とする無線通帳類。
【請求項５】
前記アンテナは、前記第１の幅寸法部分から第２の幅寸法部分に向かってその幅寸法を徐々に増大させることを特徴とする請求項４記載の無線通帳類。
【請求項６】
前記アンテナは、前記接着剤の外周エッジ部を越えた部位からその幅寸法を徐々に減少させることを特徴とする請求項４記載の無線通帳類。
【発明の詳細な説明】
【技術分野】
【０００１】
本発明は、例えば、定期乗車券として用いられる無線カード及び無線通帳類に関する。
【背景技術】
【０００２】
この種の無線カードはそのカード本体内にＬＳＩを備えている。ＬＳＩは基板上に搭載され、ＬＳＩの上側には接着剤を介して上補強材が設けられ、下側には基板及び接着剤を介して下補強材が設けられている。さらに、基板上にはアンテナが形成されている。このアンテナはＬＳＩにリード部を介してアンテナパターンを接続することにより無線回路を構成し、この無線回路により非接触で外部とのデータ通信を行なうようになっている。
【０００３】
上記したＬＳＩは端子を有し、この端子にはバンプが形成されている。基板上にはランド部が形成されている。ＬＳＩは、その端子のバンプを基板上のランド部にフリップチップ実装して電気的に接続される。また、アンテナパターンはリード部を介してランド部に接続される。
【０００４】
ところで、ＬＳＩの実装時には、熱によって基板が反ることによりリード部がＬＳＩのエッジ部に接触してショートしてしまうことがある。
【０００５】
これを防ぐために、リード部におけるＬＳＩの外周エッジ部に該当する部分はできるだけ幅寸法が小さくなるように狭く形成されている（例えば、特許文献１参照。）。
【特許文献１】特開２００４−３４３０００公報
【発明の開示】
【発明が解決しようとする課題】
【０００６】
しかしながら、従来においては、リード部の幅寸法をその全長に亘って狭く形成していたため、強度的に十分ではなかった。
【０００７】
このため、無線カードに曲げ、あるいは、ねじりの力が加えられてリード部が接着剤の外周エッジ部で擦すれると断線し機能不良を起こすという問題があった。
【０００８】
本発明は、上記事情に着目してなされたもので、その目的とするところは、曲げや、ねじりの力が加えられてもリード部が断線することのないようにした無線カード及び無線通帳類を提供することを目的とする。
【課題を解決するための手段】
【０００９】
上記課題を解決するため、請求項１記載のものは、カード本体と、このカード本体内に設けられ、ＬＳＩを実装する基板と、この前記基板に前記ＬＳＩを被覆するように塗布された接着剤と、この接着剤を介して前記基板に接着され、前記ＬＳＩを保護する補強部材と、前記ＬＳＩに電気的に接続され、前記基板に沿って前記接着剤の外周エッジ部から外方に延出するアンテナとを具備し、前記アンテナは、前記ＬＳＩの外周エッジ部に対応する部位の幅寸法を第１の幅寸法とし、前記接着剤の外周エッジ部に対応する部位の幅寸法を前記第１の幅寸法よりも大きな第２の幅寸法とすることを特徴とする。
【００１０】
請求項４記載のものは、通帳類本体と、この通帳類類本体内に設けられ、ＬＳＩを実装する基板と、前記基板に前記ＬＳＩを被覆するように塗布された接着剤と、この接着剤を介して前記基板に接着され、前記ＬＳＩを保護する補強部材と、前記ＬＳＩに電気的に接続され、前記基板に沿って前記接着剤の外周エッジ部から外方に延出するアンテナとを具備し、前記アンテナは、前記ＬＳＩの外周エッジ部に対応する部位の幅寸法を第１の幅寸法とし、前記接着剤の外周エッジ部に対応する部位の幅寸法を前記第１の幅寸法よりも大きな第２の幅寸法とすることを特徴とする。
【発明の効果】
【００１１】
本発明によれば、曲げや、ねじり等の外力が加わった場合でも、接着剤の外周エッジ部おいてリード部を断線させることがなく、機能を良好に維持することができる。
【発明を実施するための最良の形態】
【００１２】
以下、本発明の実施の形態を図面を参照して詳細に説明する。  
図１は、本発明の一実施の形態である無線カードを示す平面図である。
【００１３】
この無線カードは、カード本体１を有し、このカード本体１内には基板２が設けられている。基板２上にはＬＳＩ実装部４及びアンテナ５が設けられている。
【００１４】
図２は、ＬＳＩ実装部４を示す断面図で、図３はその平面図である。
【００１５】
基板２上にはＬＳＩ７が設けられ、ＬＳＩ７の端子には金製のバンプ８が形成されている。基板２上には銀ペースト製のランド部１０が形成されている。ＬＳＩ７はそのバンプ８をランド部１０にフリップチップ実装して電気的に接続される。
【００１６】
アンテナ５は図１に示すように銀ペースト或いはアルミニューム製のリード部１１とアンテナパターン１２とを有して構成されている。アンテナ５はリード部１１を介してランド部１０に電気的に接続され、図４に示すような等価回路が構成されている。この回路構成により、非接触で外部とのデータ通信を行うことができるようになっている。リード部１１は基板２に沿って後述する上部接着剤１３の外周エッジ部から外方に延出されている。
【００１７】
また、基板２には、ＬＳＩ７を覆うように上下部のエポキシ系樹脂である接着剤１３，１４が塗布され、これら接着剤１３，１４を介して上下部のステンレス製の補強部材１６，１７が接着されている。ＬＳＩ７はこれら補強部材１６，１７によって外部からの衝撃や、無線カードの曲げ、ねじり等の外圧から保護される。
【００１８】
このように構成されるＬＳＩ実装部４及び基板２はポリエチレンテレフタレート製のシート材２０によって被覆されている。
【００１９】
ところで、上記ＬＳＩ７の実装時には熱の影響などにより基板２が図５に示すように反り返ってリード部１１のＬＳＩ７の外周エッジ部７ａに対応する部位１１ａが外周エッジ部７ａに接触してショートしてしまうことがある。
【００２０】
このショートを防止するため、リード部１１のＬＳＩ７のエッジ部７ａに対応する部位１１ａはできるだけ狭い幅寸法（第１の幅寸法）で形成されている。
【００２１】
しかしながら、従来においては、図１０に示すようにリード部１１の幅寸法をその全長に亘って狭く形成するため、無線カードに曲げ、或いは、ねじり等の外力が加わって、図６で示すように上下部の接着剤１３，１４の硬いエッジ部１３ａ，１４ａにおいてリード部１１に対し繰り返し曲げ応力が加えられると、リード部１１が断線してしまうことがあった。
【００２２】
そこで、本実施の形態においては、リード部１１のＬＳＩ７の外周エッジ部７ａに該当する部位１１ａの幅寸法（第１の幅寸法）は狭くするが、図３に示すように上下部の接着剤１３，１４の硬いエッジ部１３ａ、１４ａに対応する部位１１ｂの幅寸法（第２の幅寸法）は、第１の幅寸法の部位１１ａよりも大として強度を増大させている。
【００２３】
このようにリード部１１の部位１１ｂの強度を増大させることにより、上下部の接着剤１３，１４の硬いエッジ部１３ａ，１４ａにおいてリード部１１に繰り返し曲げ応力が加えられても、リード部１１の断線を確実に防止することができる。
【００２４】
図７はリード部の他の例を示すものである。
【００２５】
このリード部２１のＬＳＩ７の外周エッジ部７ａに該当する部分２１ａは上記したリード部１１と同様に幅寸法を狭く（第１の幅寸法）形成するが、ＬＳＩ７の外周エッジ部７ａから接着剤１３，１４の外周エッジ部１３ａ，１４ａに向かってその幅寸法を徐々に増大させて第２の幅寸法にしている。このリード部２１によれば、上記したリード部１１よりも強度を向上できる利点がある。
【００２６】
なお、アンテナパターン１２がその幅寸法を大きくすることにより抵抗が増え、通信特性に悪影響を及ぼす場合には、アンテナパターン１２の幅寸法を徐々に狭くなるように形成するようにしても良い。
【００２７】
図８は、リード部のさらに他の例を示すものである。
【００２８】
このリード部２５は、ＬＳＩエッジ部７ａに該当する部位２５ａの幅寸法を、ランド部１０の幅寸法よりも狭くしている。このリード部２５によれば、ＬＳＩ７の外周エッジ部７ａにおけるショートをより一層確実に防止することができる。
【００２９】
図９は本発明の第２の実施の形態である無線通帳類を示すものである。
【００３０】
この無線通帳類は表紙３１とこの表紙３１間に綴じられる複数枚の用紙３２とによって構成される通帳類本体３３を有している。この通帳類本体３３の用紙３２間に上記したＬＳＩ実装部４及び基板２が介在されて無線通帳類が構成されている。
【００３１】
この第２の実施の形態においても、上記した第１の実施の形態と同様の作用効果を奏する。
【００３２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３３】
【図１】本発明の第１の実施の形態である無線カードを示す平面図。
【図２】図１の無線カードのＬＳＩ実装部を示す側断面図。
【図３】図２のＬＳＩ実装部を示す平面図。
【図４】図１の無線カードの等価回路を示す図。
【図５】ＬＳＩの実装時に基板が反った状態を示す図。
【図６】無線カードの基板に曲げが加えられた状態を示す図。
【図７】図２のＬＳＩ実装部のリード部の他の例を示す平面図。
【図８】図２のＬＳＩ実装部のリード部のさらに他の例を示す平面図。
【図９】本発明の第２の実施の形態である無線通帳類を示す図。
【図１０】従来のＬＳＩ実装部を示す平面図。
【符号の説明】
【００３４】
１…カード本体、２…基板、５…アンテナ、１０…ランド部、８…バンプ、７…ＬＳＩ、１１，２１，２５…リード部、１２…アンテナパターン、１３，１４…接着剤、１６，１７…補強部材、３３…通帳類本体。
【図１】
2007011590.tif 000003
【図２】
2007011590.tif 000004
【図３】
2007011590.tif 000005
【図４】
2007011590.tif 000006
【図５】
2007011590.tif 000007
【図６】
2007011590.tif 000008
【図７】
2007011590.tif 000009
【図８】
2007011590.tif 000010
【図９】
2007011590.tif 000011
【図１０】
2007011590.tif 000012